Podtech/llm-jp-corpus-v4-ja_patent huggingface dataset:
【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
ＤＣＩ（Downlink Control Information）フォーマットを検出する受信部と、
ＰＤＳＣＨ（Physical Downlink Shared Channel）グループ識別子に対応した一または複数のＰＤＳＣＨに基づいて生成されたＨＡＲＱ−ＡＣＫ（Hybrid Automatic Repeat request ACKnowledgement）情報を送信する送信部と、を備え、
前記ＤＣＩフォーマットがＰＤＳＣＨインディケータフィールドを含む場合、前記ＰＤＳＣＨグループ識別子の値は、前記ＰＤＳＣＨインディケータフィールドにより示され、
前記ＤＣＩフォーマットがＰＤＳＣＨインディケータフィールドを含まない場合、前記ＰＤＳＣＨグループ識別子の値は、予め設定された値である、
端末装置。
【請求項２】
ＤＣＩ（Downlink Control Information）フォーマットを送信する送信部と、
ＰＤＳＣＨ（Physical Downlink Shared Channel）グループ識別子に対応した一または複数のＰＤＳＣＨ基づいて生成されたＨＡＲＱ−ＡＣＫ（Hybrid Automatic Repeat request ACKnowledgement）情報を受信する受信部と、を備え、
前記ＤＣＩフォーマットがＰＤＳＣＨインディケータフィールドを含む場合、前記ＰＤＳＣＨグループ識別子の値は、前記ＰＤＳＣＨインディケータフィールドにより示され、
前記ＤＣＩフォーマットがＰＤＳＣＨインディケータフィールドを含まない場合、前記ＰＤＳＣＨグループ識別子の値は、予め設定された値である、
基地局装置。
【請求項３】
端末装置に用いられる通信方法であって、
ＤＣＩ（Downlink Control Information）フォーマットを検出し、
ＰＤＳＣＨ（Physical Downlink Shared Channel）グループ識別子に対応した一または複数のＰＤＳＣＨに対応するＨＡＲＱ−ＡＣＫ（Hybrid Automatic Repeat request ACKnowledgement）情報を送信し、
前記ＤＣＩフォーマットがＰＤＳＣＨインディケータフィールドを含む場合、前記ＰＤＳＣＨグループ識別子の値は、前記ＰＤＳＣＨインディケータフィールドにより示され、
前記ＤＣＩフォーマットがＰＤＳＣＨインディケータフィールドを含まない場合、前記ＰＤＳＣＨグループ識別子の値は、予め設定された値である、
通信方法。
【請求項４】
基地局装置に用いられる通信方法であって、
ＤＣＩ（Downlink Control Information）フォーマットを送信し、
ＰＤＳＣＨ（Physical Downlink Shared Channel）グループ識別子に対応した一または複数のＰＤＳＣＨ基づいて生成されたＨＡＲＱ−ＡＣＫ（Hybrid Automatic Repeat request ACKnowledgement）情報を受信し、
前記ＤＣＩフォーマットがＰＤＳＣＨインディケータフィールドを含む場合、前記ＰＤＳＣＨグループ識別子の値は、前記ＰＤＳＣＨインディケータフィールドにより示され、
前記ＤＣＩフォーマットがＰＤＳＣＨインディケータフィールドを含まない場合、前記ＰＤＳＣＨグループ識別子の値は、予め設定された値である、
通信方法。
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
ビデオ処理方法であって、
取り込まれるビデオデータの一連の画像に基づいて、前記取り込まれるビデオデータの前記一連の画像を第１の画像ストリームおよび第２の画像ストリームになるように複製することによって、第１の画像ストリームおよび第２の画像ストリームを生成すること（Ｓ４０２）であって、前記第１の画像ストリームは複数の画像フレームを含み、前記第２の画像ストリームは複数の画像フレームを含む、第１の画像ストリームおよび第２の画像ストリームを生成すること（Ｓ４０２）、
前記第１の画像ストリームに画像安定化機能を適用すること（Ｓ４０４）であって、それにより、安定化画像ストリームを形成する、画像安定化機能を適用すること（Ｓ４０４）、
前記画像安定化機能から前記第２の画像ストリームをバイパスさせること（Ｓ４０６）であって、それにより、オリジナル画像ストリームを形成する、前記第２の画像ストリームをバイパスさせること（Ｓ４０６）、および、
エンコーダー（１３０）であって、エンコーダー（１３０）に対する入力データとして前記安定化画像ストリームおよび前記オリジナル画像ストリームを使用する、エンコーダー（１３０）において、ジョイントエンコーデッド画像ストリームとして前記安定化画像ストリームおよび前記オリジナル画像ストリームの両方の画像フレームからのビデオ情報をエンコードすること（Ｓ４０８）であって、前記ジョイントエンコーデッド画像ストリームのピクチャ群がイントラフレーム（ＩＯ）、第１の一連のインターフレーム（ＰＯ）および第２の一連のインターフレーム（Ｐ’Ｓ，ＰＳ）を含むように、エンコードすること、
を含み、
前記イントラフレーム（ＩＯ）および前記第１の一連のインターフレーム（ＰＯ）は前記オリジナル画像ストリームの画像フレームからのビデオ情報をエンコードし、前記第２の一連のインターフレーム（Ｐ’Ｓ，ＰＳ）は前記安定化画像ストリームの画像フレームからのビデオ情報をエンコードし、
前記第２の一連のインターフレーム（Ｐ’Ｓ，ＰＳ）内の第１のインターフレーム（Ｐ’Ｓ）は前記イントラフレーム（ＩＯ）を排他的に参照し、前記第２の一連のインターフレーム内の後続のインターフレーム（ＰＳ）は、前記第２の一連のインターフレーム（Ｐ’Ｓ，ＰＳ）内の他のインターフレーム（Ｐ’Ｓ，ＰＳ）を排他的に参照し、
前記第１の一連のインターフレーム（ＰＯ）の第１のインターフレームはイントラフレーム（ＩＯ）を排他的に参照し、前記第１の一連のインターフレーム（ＰＯ）内の後続のインターフレームは、前記第１の一連のインターフレーム（ＰＯ）内の他のインターフレーム（ＰＯ）を排他的に参照する、ビデオ処理方法。
【請求項２】
前記オリジナル画像ストリームの前記画像フレームは、前記ジョイントエンコーデッド画像ストリーム内の非表示フレームとして示される、請求項１に記載のビデオ処理方法。
【請求項３】
前記安定化画像ストリームの前記画像フレームは前記ジョイントエンコーデッド画像ストリーム内の非表示フレームとして示される、請求項１または２に記載のビデオ処理方法。
【請求項４】
処理能力を有するデバイスによって実行されると、請求項１から３のいずれか一項に記載のビデオ処理方法を実施する命令を記憶している、非一時的コンピュータ可読記憶媒体。
【請求項５】
ビデオ処理システム（１００）であって、
オリジナル画像ストリームおよび安定化画像ストリームになるように、取り込まれるビデオデータの一連の画像を処理するように構成されるビデオ画像処理パイプライン（１２０）であって、
前記取り込まれるビデオデータに基づいて、それぞれが複数の画像フレームを含む第１の画像ストリームおよび第２の画像ストリームを生成するように構成される画像ストリーム形成機能（１２２ａ）、および、
前記第１の画像ストリームを画像安定化させ、それにより、前記安定化画像ストリームを形成するように構成される画像安定化機能（１２２ｂ）
を備え、
前記画像ストリーム形成機能（１２２ａ）は、前記画像安定化機能（１２２ｂ）から前記第２の画像ストリームをバイパスさせ、それにより、前記オリジナル画像ストリームを形成するようにさらに構成される、ビデオ画像処理パイプライン（１２０）と、
エンコーダー（１３０）であって、入力データとして前記安定化画像ストリームおよび前記オリジナル画像ストリームを使用して、ジョイントエンコーデッド画像ストリームとして前記安定化画像ストリームおよび前記オリジナル画像ストリームの両方の画像フレームからのビデオ情報をエンコードするように構成される、エンコーダー（１３０）と
を備え、前記エンコードは、前記ジョイントエンコーデッド画像ストリームのピクチャ群がイントラフレーム（ＩＯ）、第１の一連のインターフレーム（ＰＯ）および第２の一連のインターフレーム（Ｐ’Ｓ，ＰＳ）を含むようになされ、
前記イントラフレーム（ＩＯ）および前記第１の一連のインターフレーム（ＰＯ）は前記オリジナル画像ストリームの画像フレームからのビデオ情報をエンコードし、前記第２の一連のインターフレーム（Ｐ’Ｓ，ＰＳ）は前記安定化画像ストリームの画像フレームからのビデオ情報をエンコードし、
前記第２の一連のインターフレーム（Ｐ’Ｓ，ＰＳ）内の第１のインターフレーム（Ｐ’Ｓ）は前記イントラフレーム（ＩＯ）を排他的に参照し、前記第２の一連のインターフレーム内の後続のインターフレーム（ＰＳ）は、前記第２の一連のインターフレーム（Ｐ’Ｓ，ＰＳ）内の他のインターフレーム（Ｐ’Ｓ，ＰＳ）を排他的に参照し、
前記第１の一連のインターフレーム（ＰＯ）の第１のインターフレームはイントラフレーム（ＩＯ）を排他的に参照し、前記第１の一連のインターフレーム（ＰＯ）内の後続のインターフレームは、前記第１の一連のインターフレーム（ＰＯ）内の他のインターフレーム（ＰＯ）を排他的に参照する、ビデオ処理システム（１００）。
【請求項６】
ビデオカメラ（２００）に実装される、請求項５に記載のビデオ処理システム。
【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
重ね合わされた複数の部材とクランプ装置の支持部と間に配置される板状の本体部を備え、
前記本体部は、
前記複数の部材において切削工具によって形成される貫通孔の周辺領域が有する表面形状に対応した形状に形成された第１面と、
前記第１面とは反対側の面であり、前記クランプ装置の前記支持部と当接可能な平面形状を有する第２面と、
を有する、航空機部品の切削加工に用いるための治具。
【請求項２】
前記本体部は、前記貫通孔に対応した位置に形成され、前記貫通孔よりも開口面積の大きい開口部を有する請求項１に記載の治具。
【請求項３】
前記本体部は、前記複数の部材の板面に対して鉛直方向に形成されたリブに対応した形状に形成された凹部を有する請求項１又は２に記載の治具。
【請求項４】
板状の本体部を備え、前記本体部は、重ね合わされた複数の部材において切削工具によって形成される貫通孔の周辺領域が有する表面形状に対応した形状に形成された第１面と、前記第１面とは反対側の面であり、クランプ装置の支持部と当接可能な平面形状を有する第２面とを有する治具を用いた、航空機部品への貫通孔形成方法であって、
前記複数の部材の表面に前記本体部の前記第１面が接触するように、前記本体部を前記複数の部材に設置するステップと、
前記クランプ装置の前記支持部と前記複数の部材との間に前記本体部を挟むステップと、
前記クランプ装置によって前記複数の部材と前記本体部が挟まれた状態で、切削工具が前記複数の部材に対して貫通孔を形成するステップと、
を備える貫通孔形成方法。
【手続補正２】
【補正対象書類名】明細書
【補正対象項目名】０００８
【補正方法】変更
【補正の内容】
【０００８】
上記課題を解決するために、本発明の治具及び貫通孔形成方法は以下の手段を採用する。
すなわち、本発明に係る航空機部品の切削加工に用いるための治具は、重ね合わされた複数の部材とクランプ装置の支持部と間に配置される板状の本体部を備え、前記本体部は、前記複数の部材において切削工具によって形成される貫通孔の周辺領域が有する表面形状に対応した形状に形成された第１面と、前記第１面とは反対側の面であり、前記クランプ装置の前記支持部と当接可能な平面形状を有する第２面とを有する。
【手続補正３】
【補正対象書類名】明細書
【補正対象項目名】００１４
【補正方法】変更
【補正の内容】
【００１４】
本発明に係る貫通孔形成方法は、板状の本体部を備え、前記本体部は、重ね合わされた複数の部材において切削工具によって形成される貫通孔の周辺領域が有する表面形状に対応した形状に形成された第１面と、前記第１面とは反対側の面であり、クランプ装置の支持部と当接可能な平面形状を有する第２面とを有する治具を用いた、航空機部品への貫通孔形成方法であって、前記複数の部材の表面に前記本体部の前記第１面が接触するように、前記本体部を前記複数の部材に設置するステップと、前記クランプ装置の前記支持部と前記複数の部材との間に前記本体部を挟むステップと、前記クランプ装置によって前記複数の部材と前記本体部が挟まれた状態で、切削工具が前記複数の部材に対して貫通孔を形成するステップとを備える。
【手続補正書】
【提出日】令和3年10月18日(2021.10.18)
【手続補正１】
【補正対象書類名】明細書
【補正対象項目名】００３９
【補正方法】変更
【補正の内容】
【００３９】
＜把持手段＞
把持手段３４は、椅子１０の脚部１１を把持するための手段であり、例えば、一対の把持アームからなる（以下、把持手段３４を把持アーム３４と称する）。把持アーム３４は、搬送ロボット３０の本体部３１から側方に向かって開閉可能（あるいは進退可能）な部材であり、椅子１０の脚部１１を把持していない場合には搬送ロボット３０の本体部３１に接近した閉状態となり、脚部１１を把持している場合には搬送ロボット３０の本体部３１から椅子１０の脚部１１に向かって突出した開状態となる。把持アーム３４は、本体部３１に取り付けたモータ３５の駆動により動作する。
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
マスタ装置（１０）と複数のスレーブ装置（２１〜２４）とが接続された通信システムであって、
前記マスタ装置と、
前記マスタ装置に対してデイジーチェーン接続されている前記複数のスレーブ装置と、を備え、
前記マスタ装置は、前記複数のスレーブ装置に設定されている識別情報を確認させるマスタ制御部（１１）と、前記複数のスレーブ装置に電流または電圧を印加する出力部（１２）と、を有し、
前記複数のスレーブ装置は、
前記電流または前記電圧を検出する検出部（３２）と、
オン状態である際に、該スレーブ装置よりも前記マスタ装置側に位置する前記スレーブ装置の前記検出部に前記マスタ装置からの前記電流または前記電圧が印加されるようにしつつ、該スレーブ装置の前記検出部に前記マスタ装置からの前記電流または前記電圧が印加されないようにし、オフ状態である際に、該スレーブ装置よりも前記マスタ装置側に位置する前記スレーブ装置の前記検出部、および該スレーブ装置の前記検出部に前記マスタ装置からの前記電流または前記電圧が印加されないようにするスイッチング部（３３、３６）と、
前記マスタ装置からの確認信号に基づき、前記検出部の検出結果に基づいて該スレーブ装置に設定されている識別情報を確認する識別情報確認処理を実行するスレーブ制御部（３４）と、をそれぞれ有し、
前記スレーブ制御部は、前記識別情報確認処理において、設定されている前記識別情報に応じた待機期間、および前記検出部の検出結果に基づき、設定されている前記識別情報に入れ替わりが発生しているか否かを判定する通信システム。
【請求項２】
前記スレーブ制御部は、前記識別情報確認処理では、複数の前記スレーブ制御部の前記識別情報を確認する全ての期間が経過すると、前記識別情報確認処理を終了する請求項１に記載の通信システム。
【請求項３】
前記スレーブ制御部は、前記複数のスレーブ装置に前記マスタ装置側と反対側から前記マスタ装置側に向かって前記待機期間が長くなる前記識別情報が順に設定されている場合、前記待機期間が経過した後に前記スイッチング部をオン状態にしてオフ状態にし、その後に前記検出部の検出結果が閾値より大きいと判定すると、設定されている前記識別情報が異常であると判定する請求項１または２に記載の通信システム。
【請求項４】
前記スレーブ制御部は、前記複数のスレーブ装置に前記マスタ装置側から前記マスタ装置と反対側に向かって前記待機期間が長くなる前記識別情報が順に設定されている場合、前記待機期間が経過した後に前記スイッチング部をオン状態にしてオフ状態にし、前記待機期間が経過する前では、前記スイッチング部をオフ状態にした状態で前記検出部の検出結果が閾値より大きいと判定すると、設定されている前記識別情報が異常であると判定する請求項１または２に記載の通信システム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
上記目的を達成するための請求項１では、マスタ装置（１０）と複数のスレーブ装置（２１〜２４）とが接続された通信システムであって、マスタ装置と、マスタ装置に対してデイジーチェーン接続されている複数のスレーブ装置と、を備え、マスタ装置は、複数のスレーブ装置に設定されているＩＤを確認させるマスタ制御部（１１）と、複数のスレーブ装置に電流または電圧を印加する出力部（１２）と、を有し、複数のスレーブ装置は、電流または電圧を検出する検出部（３２）と、オン状態である際に、該スレーブ装置よりもマスタ装置側に位置するスレーブ装置の検出部にマスタ装置からの電流または電圧が印加されるようにしつつ、該スレーブ装置の検出部にマスタ装置からの電流または電圧が印加されないようにし、オフ状態である際に、該スレーブ装置よりもマスタ装置側に位置するスレーブ装置の検出部、および該スレーブ装置の検出部にマスタ装置からの電流または電圧が印加されないようにするスイッチング部（３３、３６）と、マスタ装置からの確認信号に基づき、検出部の検出結果に基づいて該スレーブ装置に設定されているＩＤを確認するＩＤ確認処理を実行するスレーブ制御部（３４）と、をそれぞれ有し、スレーブ制御部は、ＩＤ確認処理において、設定されているＩＤに応じた待機期間、および検出部の検出結果に基づき、設定されているＩＤに入れ替わりが発生しているか否かを判定するようにする。
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
予測対象ブロックに隣接する複数のブロックの動き情報と前記予測対象ブロックと同一位置にある復号画像上のブロックの動きベクトルをスケーリングして導出される動きベクトルを含む動き情報をマージ候補として含むマージ候補リストを生成するマージ候補リスト生成部と、
前記マージ候補リストからマージ候補を選択マージ候補として選択するマージ候補選択部と、
符号化ストリームから符号列を復号して補正ベクトルを導出する符号列復号部と、
前記選択マージ候補の第１予測の参照ピクチャまたは前記選択マージ候補の第２予測の参照ピクチャのいずれか一方または両方が長期参照ピクチャであれば、前記選択マージ候補の第１予測の動きベクトルに前記補正ベクトルをスケーリングしないでそのまま加算し、前記選択マージ候補の第２予測の動きベクトルに前記補正ベクトルをスケーリングしないでそのまま減算して双予測の補正マージ候補を導出するマージ候補補正部と、
を備えることを特徴とする画像復号装置。
【請求項２】
予測対象ブロックに隣接する複数のブロックの動き情報と前記予測対象ブロックと同一位置にある復号画像上のブロックの動きベクトルをスケーリングして導出される動きベクトルを含む動き情報をマージ候補として含むマージ候補リストを生成するマージ候補リスト生成ステップと、
前記マージ候補リストからマージ候補を選択マージ候補として選択するマージ候補選択ステップと、
符号化ストリームから符号列を復号して補正ベクトルを導出する符号列復号ステップと、
前記選択マージ候補の第１予測の参照ピクチャまたは前記選択マージ候補の第２予測の参照ピクチャのいずれか一方または両方が長期参照ピクチャであれば、前記選択マージ候補の第１予測の動きベクトルに前記補正ベクトルをスケーリングしないでそのまま加算し、前記選択マージ候補の第２予測の動きベクトルに前記補正ベクトルをスケーリングしないでそのまま減算して双予測の補正マージ候補を導出するマージ候補補正ステップと、
を有することを特徴とする画像復号方法。
【請求項３】
予測対象ブロックに隣接する複数のブロックの動き情報と前記予測対象ブロックと同一位置にある復号画像上のブロックの動きベクトルをスケーリングして導出される動きベクトルを含む動き情報をマージ候補として含むマージ候補リストを生成するマージ候補リスト生成ステップと、
前記マージ候補リストからマージ候補を選択マージ候補として選択するマージ候補選択ステップと、
符号化ストリームから符号列を復号して補正ベクトルを導出する符号列復号ステップと、
前記選択マージ候補の第１予測の参照ピクチャまたは前記選択マージ候補の第２予測の参照ピクチャのいずれか一方または両方が長期参照ピクチャであれば、前記選択マージ候補の第１予測の動きベクトルに前記補正ベクトルをスケーリングしないでそのまま加算し、前記選択マージ候補の第２予測の動きベクトルに前記補正ベクトルをスケーリングしないでそのまま減算して双予測の補正マージ候補を導出するマージ候補補正ステップと、
をコンピュータに実行させことを特徴とする画像復号プログラム。
【請求項４】
予測対象ブロックに隣接する複数のブロックの動き情報と前記予測対象ブロックと同一位置にある符号化画像上のブロックの動きベクトルをスケーリングして導出される動きベクトルを含む動き情報をマージ候補として含むマージ候補リストを生成するマージ候補リスト生成部と、
前記マージ候補リストからマージ候補を選択マージ候補として選択するマージ候補選択部と、
前記選択マージ候補の第１予測の参照ピクチャまたは前記選択マージ候補の第２予測の参照ピクチャのいずれか一方または両方が長期参照ピクチャであれば、前記選択マージ候補の第１予測の動きベクトルに対してスケーリングしないでそのまま減算して補正ベクトルとし、前記選択マージ候補の第２予測の動きベクトルに対してスケーリングしないでそのまま加算して前記補正ベクトルとして双予測の補正マージ候補を導出するマージ候補補正部と、
前記補正ベクトルを符号化ストリームに符号化する符号列符号化部と、
を備えることを特徴とする画像符号化装置。
【請求項５】
予測対象ブロックに隣接する複数のブロックの動き情報と前記予測対象ブロックと同一位置にある符号化画像上のブロックの動きベクトルをスケーリングして導出される動きベクトルを含む動き情報をマージ候補として含むマージ候補リストを生成するマージ候補リスト生成ステップと、
前記マージ候補リストからマージ候補を選択マージ候補として選択するマージ候補選択ステップと、
前記選択マージ候補の第１予測の参照ピクチャまたは前記選択マージ候補の第２予測の参照ピクチャのいずれか一方または両方が長期参照ピクチャであれば、前記選択マージ候補の第１予測の動きベクトルに対してスケーリングしないでそのまま減算して補正ベクトルとし、前記選択マージ候補の第２予測の動きベクトルに対してスケーリングしないでそのまま加算して前記補正ベクトルとして双予測の補正マージ候補を導出するマージ候補補正ステップと、
前記補正ベクトルを符号化ストリームに符号化する符号列符号化ステップと、
を有することを特徴とする画像符号化方法。
【請求項６】
予測対象ブロックに隣接する複数のブロックの動き情報と前記予測対象ブロックと同一位置にある符号化画像上のブロックの動きベクトルをスケーリングして導出される動きベクトルを含む動き情報をマージ候補として含むマージ候補リストを生成するマージ候補リスト生成ステップと、
前記マージ候補リストからマージ候補を選択マージ候補として選択するマージ候補選択ステップと、
前記選択マージ候補の第１予測の参照ピクチャまたは前記選択マージ候補の第２予測の参照ピクチャのいずれか一方または両方が長期参照ピクチャであれば、前記選択マージ候補の第１予測の動きベクトルに対してスケーリングしないでそのまま減算して補正ベクトルとし、前記選択マージ候補の第２予測の動きベクトルに対してスケーリングしないでそのまま加算して前記補正ベクトルとして双予測の補正マージ候補を導出するマージ候補補正ステップと、
前記補正ベクトルを符号化ストリームに符号化する符号列符号化ステップと、
をコンピュータに実行させことを特徴とする画像符号化プログラム。
【誤訳訂正書】
【提出日】令和3年6月17日(2021.6.17)
【誤訳訂正１】
【訂正対象書類名】特許請求の範囲
【訂正対象項目名】全文
【訂正方法】変更
【訂正の内容】
【特許請求の範囲】
【請求項１】
第１の捕捉領域であって、前記第１の捕捉領域中を検体が流れることができ、前記第１の捕捉領域が、活性化された時に誘電泳動（ＤＥＰ）を用いて標的細胞をトラップし、そして非活性化された時に前記標的細胞を放出するように調節された複数の電極を含み、前記電極が前記領域中を流れる検体が電極の上を流れるように構成された、第１の捕捉領域と、
前記第１の捕捉領域の下流で前記第１の捕捉領域と流体連通する廃棄領域と、
前記第１の捕捉領域の下流で前記第１の捕捉領域と流体連通する第２の捕捉領域であって、前記第１の捕捉領域よりも容量が小さく、誘電泳動（ＤＥＰ）を用いて標的細胞をトラップするように調節された複数の電極を含み、前記電極が前記第２の捕捉領域中を流れる検体が電極の上を流れるように構成された、第２の捕捉領域と、
前記第２の捕捉領域を通る検体の体積流量が前記第１の捕捉領域を通る検体の体積流量よりも低くなるようにする適合された複数のフロー調整部と、
を含み、
誘電泳動（ＤＥＰ）を使用して前記標的細胞をトラップするように調節された前記第１の捕捉領域内の電極が活性化の時に、前記第１の捕捉領域から前記廃棄領域へ検体を流しだし、誘電泳動（ＤＥＰ）を使用して前記標的細胞をトラップするように調節された前記第１の捕捉領域内の電極が非活性化の時に、前記第１の捕捉領域から前記第２の捕捉領域へ検体を流しだすように構成された、
標的細胞を濃縮するためのマイクロ流体デバイス。
【請求項２】
前記第１の捕捉領域が、複数のチャネルに分かれる、請求項１に記載のマイクロ流体デバイス。
【請求項３】
前記デバイスが、前記第１の捕捉領域又は前記第２の捕捉領域内の前記電極が非活性化された時に、前記第１の捕捉領域及び／又は前記第２の捕捉領域内に、新たな緩衝剤又は媒体のフローを導入する制御モジュールを含む、請求項１又は２に記載のマイクロ流体デバイス。
【請求項４】
光検出デバイスを含む、請求項１〜３のいずれか一項に記載のマイクロ流体デバイス。
【請求項５】
前記光検出デバイスが、前記第２の捕捉領域からの信号を検出するように構成された、請求項４に記載のマイクロ流体デバイス。
【請求項６】
前記廃棄領域が廃棄物貯留槽である、請求項１〜５のいずれか一項に記載のマイクロ流体デバイス。
【請求項７】
前記フロー調整部がポンプである、請求項１〜６のいずれか一項に記載のマイクロ流体デバイス。
【請求項８】
請求項１〜７のいずれか一項に記載のマイクロ流体デバイスを提供する工程と、
検体を前記第１の捕捉領域に導入して、任意の標的粒子をトラップするように構成され、活性化された複数の第１の電極を用いて、前記検体の流れが前記第１の捕捉領域から前記廃棄領域へと方向づけられて、第１の流量で、前記第１の捕捉領域中に前記検体を流す工程、
前記複数の第１の電極を非活性化し、トラップされた標的粒子を前記複数の第１の電極から放出して濃縮検体をもたらし、検体の流れが前記第１の捕捉領域から前記第２の捕捉領域へと方向づけられている工程、
前記濃縮検体を前記第２の捕捉領域に導入し、前記第１の流量より低い第２の流量で前記濃縮検体を前記第２の捕捉領域中に流し、標的粒子をトラップするように構成され活性化された複数の第２の電極を備えている工程、
を含む、検体中の標的粒子を濃縮する方法。
【請求項９】
前記トラップされた標的粒子を前記複数の第１の電極から放出して濃縮検体をもたらす工程が、トラップされた標的粒子を放出して濃縮検体をもたらすように定められた時間後に、前記第１の捕捉領域内で電極を非活性化することを含む、請求項８に記載の標的粒子を濃縮する方法。
【請求項１０】
前記第１の捕捉領域内で前記トラップされた標的粒子を放出する前に、前記第１の捕捉領域内に新たな緩衝剤又は媒体を流す、請求項８又は９に記載の標的粒子を濃縮する方法。
【請求項１１】
前記新たな緩衝剤が水である、請求項１０に記載の標的粒子を濃縮する方法。
【請求項１２】
前記方法が、トラップされた標的細胞を放出して更に濃縮された濃縮検体をもたらす時間後に、前記第２の捕捉領域内の前記電極を非活性化することさらなる工程を含む、請求項８〜１１のいずれか一項に記載の標的粒子を濃縮する方法。
【請求項１３】
前記第２の捕捉領域内の前記電極を非活性化する前に、前記第２の捕捉領域内に新たな緩衝剤又は媒体を流す、請求項１２に記載の標的粒子を濃縮する方法。
【請求項１４】
光検出デバイスが設けられ、標的粒子が前記光検出デバイスを用いて観察される、請求項８〜１３のいずれか一項に記載の標的粒子を濃縮する方法。
【請求項１５】
前記光検出デバイスが前記第２の捕捉領域からの信号を検出するように構成された、請求項１４に記載の標的粒子を濃縮する方法。
【誤訳訂正２】
【訂正対象書類名】明細書
【訂正対象項目名】００３７
【訂正方法】変更
【訂正の内容】
【００３７】
任意的に、前記デバイスは複数のフロー調整部を備える。任意的に、これらのフロー調整部はポンプである。当業者には容易に理解されるであろうように、いくつかの方途でフローを調整できる。マイクロ流体チャネル及びチャンバーの外形及びサイズを変更することにより、並びに／或いは、ポンプなどの追加手段を用いることにより、フローの変更を達成できる。
【誤訳訂正３】
【訂正対象書類名】明細書
【訂正対象項目名】００５３
【訂正方法】変更
【訂正の内容】
【００５３】
任意的に、前記デバイスは複数のフロー調整部を備える。任意的に、これらのフロー調整部はポンプである。
【手続補正書】
【提出日】令和2年12月14日(2020.12.14)
【手続補正１】
【補正対象書類名】特許請求の範囲
【補正対象項目名】請求項７
【補正方法】変更
【補正の内容】
【請求項７】
前記目印が素材の色によるものまたは目視可能な面への着色によるものである請求項６に記載のカード用の枠体。
【手続補正２】
【補正対象書類名】特許請求の範囲
【補正対象項目名】請求項１０
【補正方法】変更
【補正の内容】
【請求項１０】
前記目印が枠体に設けた凹凸によるものである、請求項６に記載のカード用の枠体。
【手続補正３】
【補正対象書類名】明細書
【補正対象項目名】００１３
【補正方法】変更
【補正の内容】
【００１３】  さて枠体に係る上記目印を素材の発色または目視可能な面への着色によるものとすることが出来る。これはカードに付ける目印の説明と同じようである。同様に枠体に係る上記目印が模様によるものとすることが出来る。また同様に枠体に係る上記目印が模様によるものとすることが出来る。また同様に枠体に係る上記目印が文字コードによるものとすることが出来る。
【手続補正４】
【補正対象書類名】明細書
【補正対象項目名】００１４
【補正方法】変更
【補正の内容】
【００１４】  次に、枠体に係る上記目印が枠体に設けた凹凸によるものとすることが出来る。凹凸は例えば図形や記号のようなものとしたり、また例えばギザギザのような構造とするなど、任意に構成することが出来る。カードそのものにはこのような凹凸を付けることは仕様上難しくあるが、枠体であれば問題は少ない。このように枠体の凹凸もカードの判別に役立つものである。
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
吸収性物品用の吸収体の製造方法であって、
積層物を形成する工程と、
ここで、前記積層物は、互いに直交する長手方向、幅方向及び厚さ方向を有し、第１吸収層と、第２吸収層と、前記第１吸収層と前記第２吸収層との間に位置する中間層と、を備え、
前記第１吸収層は、
第１基材と、
前記第１基材よりも前記中間層側に配置され、第１高吸水性ポリマーを含む第１吸水材と、
前記第１基材の前記中間層側の表面及び前記中間層の前記第１基材側の表面の少なくとも一方に位置し、前記第１吸水材を固定する第１接着剤と、
を含み、
前記第１高吸水性ポリマーを含まない第１非存在領域を有し、
前記第２吸収層は、
第２基材と、
前記第２基材よりも前記中間層側に配置され、第２高吸水性ポリマーを含む第２吸水材と、
前記第２基材の前記中間層側の表面及び前記中間層の前記第２基材側の表面の少なくとも一方に位置し、第２接着剤と、
を含み、
前記第２高吸水性ポリマーを含まず、厚さ方向に前記第１非存在領域と重なる第２非存在領域を有しており、
前記積層物における前記第１非存在領域と前記第２非存在領域とを、前記厚さ方向に押圧又は圧着して接合領域を形成する工程と、
を備え、
前記中間層は前記第１吸収層と前記第２吸収層とを前記厚さ方向に連通する複数の連通孔を有しており、
前記接合領域は、前記第１基材と前記中間層とが前記第１接着剤で、及び、前記第２基材と前記中間層とが前記第２接着剤で、それぞれ前記厚さ方向に互いに接合され、前記第１接着剤と前記第２接着剤とが前記複数の連通孔を介して互いに接触して、前記第１基材と前記第２基材とが互いに接合されるように形成される、
製造方法。
【請求項２】
前記第１非存在領域及び前記第２非存在領域は、前記積層物における前記長手方向の中央部を通り、前記長手方向に沿って延びており、
前記接合領域を形成する工程は、
前記積層物における前記長手方向の中央部を通り、前記長手方向に延びるスリット状の形状を有する長手方向接合領域を形成する工程を含む、
請求項１に記載の製造方法。
【請求項３】
前記第１非存在領域及び前記第２非存在領域は、前記積層物における前記幅方向の両端部と中央部との間に位置し、
前記接合領域を形成する工程は、
前記積層物における前記幅方向の両端部と中央部との間に一対の前記接合領域を形成する工程を含む、
請求項１又は２に記載の製造方法。
【請求項４】
前記積層物を形成する工程は、
前記第２基材に前記第２高吸水性ポリマーを、平面視で略砂時計の形状で配置する工程と、
前記中間層に前記第１高吸水性ポリマーを、平面視で略砂時計の形状で配置する工程と、
を含む、
請求項１乃至３のいずれか一項に記載の製造方法。
【請求項５】
前記第１非存在領域及び前記第２非存在領域は、前記積層物における前記長手方向の両端部において、前記幅方向の中央部を通り、前記幅方向に延びており、
前記接合領域を形成する工程は、
前記積層物における前記長手方向の両端部において、前記幅方向の中央部を通り、前記幅方向に延びる矩形形状の幅方向接合領域を形成する工程を含む、
請求項１乃至４のいずれか一項に記載の製造方法。
【請求項６】
前記接合領域が形成される領域と重なる位置に、前記第１基材と前記第２基材と前記中間層とを前記厚さ方向に圧縮したエンボス部を形成する工程を更に備える、
請求項１乃至５のいずれか一項に記載の製造方法。
【請求項７】
前記中間層は繊維シートで形成されており、
前記複数の連通孔は、前記繊維シートを構成する複数の繊維で形成される繊維間の空隙を含む、
請求項１乃至６のいずれか一項に記載の製造方法。
【請求項８】
前記第１接着剤及び前記第２接着剤の少なくとも一方を細長い線の形状で前記中間層に塗布する工程を更に備え、
前記複数の連通孔の各々の幅は、前記第１接着剤及び前記第２接着剤の少なくとも一方の線の幅よりも大きい、
請求項１乃至７のいずれか一項に記載の製造方法。
【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
複数のユーザが役割を分担して参加するゲームを実行するゲームシステムであって、
各ユーザによる、前記ゲームへの参加要求を受け付ける受付手段と、
複数の役割のうち、前記参加要求をしたユーザが選択したオブジェクトに関連付けられた役割を取得する役割取得手段と、
各役割と、前記ゲームへの参加を登録している参加登録ユーザのユーザ情報と、が関連付けられた参加登録データに、前記参加要求をしたユーザのユーザ情報を、当該ユーザが選択したオブジェクトに関連付けられた役割と関連付けて追加する追加手段と、
前記ゲームに参加する複数のユーザを選択する手段であって、前記参加登録データに基づいて、前記役割ごとに、当該役割を担当するユーザを、当該役割に前記ユーザ情報が関連付けられた前記参加登録ユーザの中から選択する選択手段と、
を含み、
前記追加手段は、前記参加要求をしたユーザが選択したオブジェクトに関連付けられた役割が複数ある場合には、前記参加登録データに基づいて、当該ユーザが選択したオブジェクトに関連付けられた複数の役割の中から選択した少なくとも１つの役割と関連付けて、当該ユーザのユーザ情報を前記参加登録データに追加する、
ゲームシステム。
【請求項２】
前記追加手段は、前記参加要求をしたユーザが選択したオブジェクトに関連付けられた役割が複数ある場合には、前記参加登録データに基づいて、当該ユーザが選択したオブジェクトに関連付けられた複数の役割の中から最も空いている役割を選択し、当該選択した役割と関連付けて、当該ユーザのユーザ情報を前記参加登録データに追加する、
請求項１に記載のゲームシステム。
【請求項３】
前記ゲームシステムは、前記参加登録データに基づいて、各役割の参加登録状況を各ユーザに提示する提示手段、
を更に含む請求項１又は２に記載のゲームシステム。
【請求項４】
前記複数の役割は、予め定められた役割の組み合わせに基づいて決定される、
請求項１〜３の何れか１項に記載のゲームシステム。
【請求項５】
複数のユーザが役割を分担して参加するゲームを実行するゲーム制御装置であって、
各ユーザによる、前記ゲームへの参加要求を受け付ける受付手段と、
複数の役割のうち、前記参加要求をしたユーザが選択したオブジェクトに関連付けられた役割を取得する役割取得手段と、
各役割と、前記ゲームへの参加を登録している参加登録ユーザのユーザ情報と、が関連付けられた参加登録データに、前記参加要求をしたユーザのユーザ情報を、当該ユーザが選択したオブジェクトに関連付けられた役割と関連付けて追加する追加手段と、
前記ゲームに参加する複数のユーザを選択する手段であって、前記参加登録データに基づいて、前記役割ごとに、当該役割を担当するユーザを、当該役割に前記ユーザ情報が関連付けられた前記参加登録ユーザの中から選択する選択手段と、
を含み、
前記追加手段は、前記参加要求をしたユーザが選択したオブジェクトに関連付けられた役割が複数ある場合には、前記参加登録データに基づいて、当該ユーザが選択したオブジェクトに関連付けられた複数の役割の中から選択した少なくとも１つの役割と関連付けて、当該ユーザのユーザ情報を前記参加登録データに追加する、
ゲーム制御装置。
【請求項６】
請求項１〜４の何れか１項に記載のゲームシステム、又は、請求項５記載のゲーム制御装置、としてコンピュータを機能させるためのプログラム。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
プレイヤ毎にゲーム行動のためのプレイヤ自身の行動パラメータが設定され、プレイヤの操作に基づいてゲームを中断することが可能なゲームに関するプログラムであって、
コンピュータを、
前記ゲームの実行を開始する実行手段、
前記ゲームの開始後であって前記ゲームの終了又は中断までに所定条件を満たした場合、前記プレイヤ自身の行動パラメータを消費し、且つ、前記ゲームが中断されたときに前記所定条件を満たしていない場合、前記所定条件を満たしている場合に比べて前記プレイヤ自身の行動パラメータの消費を抑制する変更手段、
として機能させるためのプログラム。
【請求項２】
プレイヤ毎にゲーム行動のためのプレイヤ自身の行動パラメータが設定され、プレイヤの操作に基づいてゲームを中断することが可能なゲームに関するプログラムであって、
コンピュータを、
前記ゲームの実行を開始する実行手段、
前記ゲームが開始された場合、前記プレイヤ自身の行動パラメータを変更し、且つ、前記ゲームが中断されたときに所定条件を満たしていない場合、変更された行動パラメータを、変更前の値に戻る方向に変更する変更手段、
として機能させるためのプログラム。
【請求項３】
前記所定条件は、前記ゲームが開始されたときから所定時間が経過したという条件を含む、
請求項１又は２に記載のプログラム。
【請求項４】
前記所定条件は、前記プレイヤによる、ゲームを進行させるためのゲーム操作があったという条件を含む、
請求項１乃至３の何れか１項に記載のプログラム。
【請求項５】
前記変更手段は、前記ゲームが中断されたときに前記所定条件を満たしていない場合、前記中断までに経過した経過時間又は／及び前記中断までのゲームの進行度に応じた消費度合に基づき、前記行動パラメータの消費を抑制する、
請求項１に記載のプログラム。
【請求項６】
プレイヤ毎にゲーム行動のためのプレイヤ自身の行動パラメータが設定され、プレイヤの操作に基づいてゲームを中断することが可能なゲームに関する情報処理装置であって、
前記ゲームの実行を開始する実行手段と、
前記ゲームの開始後であって前記ゲームの終了又は中断までに所定条件を満たした場合、前記プレイヤ自身の行動パラメータを消費し、且つ、前記ゲームが中断されたときに前記所定条件を満たしていない場合、前記所定条件を満たしている場合に比べて前記プレイヤ自身の行動パラメータの消費を抑制する変更手段と、
を備える情報処理装置。
【請求項７】
プレイヤ毎にゲーム行動のためのプレイヤ自身の行動パラメータが設定され、プレイヤの操作に基づいてゲームを中断することが可能なゲームに関する情報処理装置であって、
前記ゲームの実行を開始する実行手段と、
前記ゲームが開始された場合、前記プレイヤ自身の行動パラメータを変更し、且つ、前記ゲームが中断されたときに所定条件を満たしていない場合、変更された行動パラメータを、変更前の値に戻る方向に変更する変更手段と、
を備える情報処理装置。
【手続補正２】
【補正対象書類名】明細書
【補正対象項目名】０００４
【補正方法】変更
【補正の内容】
【０００４】
このようなゲームの中には、プレイヤの操作に基づき、ゲームを途中でリタイア、すなわち、ゲームを中断することができるものがある。しかしながら、プレイヤは、意図せずゲームを開始してしまうと、プレイヤは、ゲームを中断することができるものの、既に消費された行動パラメータが無駄となってしまい、プレイヤに不快感を与えるという問題があった。また、単に、ゲームを中断した場合に行動パラメータが消費されないようにすると、ゲームに失敗した場合でもやり直しができてしまい、ゲーム性が崩れてしまうという問題があった。
【手続補正３】
【補正対象書類名】明細書
【補正対象項目名】０００５
【補正方法】変更
【補正の内容】
【０００５】
本発明はこのような課題に鑑みてなされたものであり、その目的は、間違えてゲームを開始しても、ゲーム性を崩すことなく、プレイヤに不快感を与えることを抑制できるプログラム及び情報処理装置を提供することにある。
【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
加湿ガスとともに使用するための医療用回路部品であって、
入口および出口と、
発泡ポリマー導管によって囲まれたガス空間内に加湿ガスが該入口から該出口へ流れることが可能となるように構成された発泡ポリマー導管と
を備え、
ここで、該発泡ポリマー導管は、固体熱可塑性エラストマー材料および該固体材料全体に分布した気泡空隙を含んでなり、該発泡ポリマー導管が、該ガス空間に面した内面および該内面に面した内部体積を有し、かつ
該固体熱可塑性エラストマー材料がポリエーテルソフトセグメントを含むコポリエステル材料を含んでなる、
医療用回路部品。
【請求項２】
前記発泡ポリマー導管が３×１０−７ｃｍ２／秒より大きい水の拡散係数を有する、請求項１に記載の医療用回路部品。
【請求項３】
前記発泡ポリマー導管が、拡散によって前記発泡ポリマー導管の少なくとも一部を形成する壁体を介して、前記導管内の加湿ガスから周囲の大気へ水蒸気を透過させ、それによって前記導管内での凝縮の蓄積を低減する、請求項１または２に記載の医療用回路部品。
【請求項４】
前記内部体積中の気泡空隙の少なくともいくつかが他の気泡空隙に接続され、それによって前記発泡ポリマー導管の壁体を通る水蒸気の移動を促進する連続気泡通路を形成する、請求項１〜３のいずれか一項に記載の医療用回路部品。
【請求項５】
前記発泡ポリマー導管が、気泡空隙が独立した内部体積に面した外スキンを更に有する、請求項４に記載の医療用回路部品。
【請求項６】
独立気泡空隙が液体水およびガスバルク流を透過させないように構成された、請求項５に記載の医療用回路部品。
【請求項７】
前記内部体積中の気泡空隙の少なくとも１０％が他の気泡空隙に接続される、請求項１〜６のいずれか一項に記載の医療用回路部品。
【請求項８】
前記内部体積中の気泡空隙の少なくとも２０％が他の気泡空隙に接続される、請求項１〜６のいずれか一項に記載の医療用回路部品。
【請求項９】
前記発泡ポリマー導管が押出成形された、請求項１〜８のいずれか一項に記載の医療用回路部品。
【請求項１０】
前記導管に波形がつけられた、請求項１〜９のいずれか一項に記載の医療用回路部品。
【請求項１１】
前記発泡ポリマー導管の少なくとも一部に沿ってヒーター線を更に備える、請求項１〜１０のいずれか一項に記載の医療用回路部品。
【請求項１２】
前記内部体積が２５％より大きい空隙率を有する、請求項１〜１１のいずれか一項に記載の医療用回路部品。
【請求項１３】
少なくともいくつかの気泡空隙が、前記入口と前記出口との間に伸びる縦軸に沿って扁平になっている、請求項１〜１２のいずれか一項に記載の医療用回路部品。
【請求項１４】
気泡空隙の少なくとも８０％が２：１より大きい縦方向の長さと横方向の長さとのアスペクト比を有する、請求項１３に記載の医療用回路部品。
【請求項１５】
気泡空隙の少なくとも８０％が３：１より大きい縦方向の長さと横方向の長さとのアスペクト比を有する、請求項１３に記載の医療用回路部品。
【請求項１６】
前記発泡ポリマー導管が０．１ｍｍ〜３．０ｍｍの間の壁厚を有する、請求項１〜１５のいずれか一項に記載の医療用回路部品。
【請求項１７】
前記内部体積が、前記発泡ポリマー導管壁厚の３０％未満の横方向の平均空隙サイズを有する、請求項１〜１６のいずれか一項に記載の医療用回路部品。
【請求項１８】
前記内部体積が、前記発泡ポリマー導管壁厚の１０％未満の横方向の平均空隙サイズを有する、請求項１〜１６のいずれか一項に記載の医療用回路部品。
【請求項１９】
前記発泡ポリマー導管が、ＩＳＯ  ５３６７：２０００（Ｅ）に準拠した曲げに伴う流れ抵抗の増大についての試験により規定されるとおり、前記発泡ポリマー導管を２５ｍｍ径の金属円筒の周りに、ねじれまたは圧潰なく曲げることができる、十分に剛性がある、請求項１〜１８のいずれか一項に記載の医療用回路部品。
【請求項２０】
前記発泡ポリマー導管のｇ−ｍｍ／ｍ２／日単位での透過性Ｐが、ＡＳＴＭ  Ｅ９６の手順Ａに従って（温度２３℃および相対湿度９０％で乾燥法を用いて）測定した場合、下記式を満たす、請求項１〜１９のいずれか一項に記載の医療用回路部品：
【数１】
2020099708.tif 000001
（式中、Ｍは前記発泡ポリマーの弾性率をＭｐａで表し、かつＭは３０〜１０００ＭＰａの間である）。
【請求項２１】
前記発泡ポリマー導管が、ベンチレーターと患者との間に位置づけられるように構成され、かつ該患者から該ベンチレーターへ加湿ガスを送達するように構成された、請求項１〜２０のいずれか一項に記載の医療用回路部品。
【請求項２２】
複数の補強リブを更に備える、請求項１〜２１のいずれか一項に記載の医療用回路部品。
【請求項２３】
前記補強リブが、前記発泡ポリマー導管の少なくとも一部に沿って縦方向に整列された、請求項２２に記載の医療用回路部品。
【請求項２４】
前記発泡ポリマー導管が、剛性および／または半硬質である、請求項１〜２３のいずれか一項に記載の医療用回路部品。
【請求項２５】
通気性発泡材料が、独立気泡発泡材料の第１のゾーンおよび連続気泡を含む第２のゾーンを含む、請求項１〜２４のいずれか一項に記載の医療用回路部品。
【請求項２６】
平均および／または最大空隙サイズは、第２のゾーン中よりも第１のゾーン中でより小さい、請求項２５に記載の医療用回路部品。
【請求項２７】
医療用回路部品が患者により吐き出された加湿ガスを運ぶための呼吸回路のための呼気リムである、請求項１〜２６のいずれか一項に記載の医療用回路部品。
【請求項２８】
前記発泡ポリマー導管が、呼気リムの長さの少なくとも８０％を含む、請求項２７に記載の医療用回路部品。
【請求項２９】
以下を備える、呼吸補助システム：
ガスを輸送するように構成されたガス源、
ガス源からのガスを加湿するように構成された加湿器、
患者にガスを供給するように構成された患者用インターフェース、および
請求項２７または２８に記載された医療用回路部品。
【請求項３０】
請求項２７または２８に記載された医療用回路部品、並びに加湿チャンバー、吸気管、フィルター、およびＹコネクターの一以上を含む、部品のキット。
【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
薬剤払出装置であって、
薬剤を貯留可能な薬剤供給容器、及び前記薬剤供給容器を装着可能な容器装着部のそれぞれを複数有し、薬剤を払い出し可能な貯留部と、
前記薬剤供給容器に薬剤を充填する際に、前記容器装着部から取り外された前記薬剤供給容器を配置可能な容器配置部と、
表示部と、を備え、
前記薬剤供給容器は、前記容器装着部に装着された状態で、前記貯留部が当該薬剤供給容器に貯留された薬剤を払い出し可能になり、前記容器装着部から取り外された状態で、前記貯留部が当該薬剤供給容器に貯留された薬剤を払い出し不可能になり、前記容器装着部から取り外されて前記容器配置部に配置された状態で、前記表示部が、前記容器配置部に配置された当該薬剤供給容器に基づいて表示を行う、薬剤払出装置。
【請求項２】
前記表示部が、前記容器配置部に配置された前記薬剤供給容器に貯留される薬剤の情報を表示する、請求項１に記載の薬剤払出装置。
【請求項３】
前記表示部が表示する薬剤の情報に、当該薬剤の薬剤名が含まれる、請求項２に記載の薬剤払出装置。
【請求項４】
薬剤に対して付与されている識別標識を読み取る標識読取部を、さらに備え、
前記表示部は、前記容器配置部に配置された前記薬剤供給容器に貯留される薬剤の情報と、前記標識読取部が前記識別標識を読み取ることで特定された薬剤の情報とが、一致する場合と異なる場合とで、異なる表示をする、請求項１〜３のいずれか１項に記載の薬剤払出装置。
【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられる始動口と、
前記始動口への入球を契機として取得した抽選値に基づいて当否判定を実行する当否判定手段と、
前記遊技領域の所定位置に設けられ、前記当否判定の結果に応じて開放され、遊技球の入球が遊技者への利益付与の契機となる大入賞口と、
前記当否判定の結果が小当りとなることを示す図柄が停止表示された場合、その図柄停止後に所定の小当り遊技演出が実行される演出実行期間と、前記演出実行期間後に前記大入賞口が開放される入球可能期間とを含む小当り遊技を実行する小当り遊技制御手段と、
前記入球可能期間において前記大入賞口内に入球した遊技球がさらにその内部に設けられた特定領域を通過した場合、前記大入賞口の開放を伴う特別遊技を実行する特別遊技制御手段と、
演出的な内容が表示される演出表示装置と、
を備え、
前記大入賞口は、相対的に強い強度で発射された遊技球が入球容易な位置に設けられ、
前記小当り遊技の前記入球可能期間は、第１入球可能期間と、前記第１入球可能期間後の第２入球可能期間を含み、前記第１入球可能期間と前記第２入球可能期間の間に前記大入賞口が入球困難な状態へ作動される閉鎖期間が設けられ、
前記小当り遊技の前記演出実行期間における演出的な内容として、遊技球を相対的に強い強度で発射するように促す内容を前記演出表示装置に表示し、前記小当り遊技の前記閉鎖期間における演出的な内容としても、遊技球を相対的に強い強度で発射するように促す内容を前記演出表示装置に表示し、
前記小当り遊技の前記閉鎖期間では、前記小当り遊技後に、遊技者に付与される利益の種類を示唆する示唆演出を前記演出表示装置に表示可能とする弾球遊技機。
【手続補正２】
【補正対象書類名】明細書
【補正対象項目名】０００８
【補正方法】変更
【補正の内容】
【０００８】
上記課題を解決するために、本発明のある態様の弾球遊技機は、遊技領域が形成された遊技盤と、前記遊技領域の所定位置に設けられる始動口と、前記始動口への入球を契機として取得した抽選値に基づいて当否判定を実行する当否判定手段と、前記遊技領域の所定位置に設けられ、前記当否判定の結果に応じて開放され、遊技球の入球が遊技者への利益付与の契機となる大入賞口と、前記当否判定の結果が小当りとなることを示す図柄が停止表示された場合、その図柄停止後に所定の小当り遊技演出が実行される演出実行期間と、前記演出実行期間後に前記大入賞口が開放される入球可能期間とを含む小当り遊技を実行する小当り遊技制御手段と、前記入球可能期間において前記大入賞口内に入球した遊技球がさらにその内部に設けられた特定領域を通過した場合、前記大入賞口の開放を伴う特別遊技を実行する特別遊技制御手段と、演出的な内容が表示される演出表示装置と、を備え、前記大入賞口は、相対的に強い強度で発射された遊技球が入球容易な位置に設けられ、前記小当り遊技の前記入球可能期間は、第１入球可能期間と、前記第１入球可能期間後の第２入球可能期間を含み、前記第１入球可能期間と前記第２入球可能期間の間に前記大入賞口が入球困難な状態へ作動される閉鎖期間が設けられ、前記小当り遊技の前記演出実行期間における演出的な内容として、遊技球を相対的に強い強度で発射するように促す内容を前記演出表示装置に表示し、前記小当り遊技の前記閉鎖期間における演出的な内容としても、遊技球を相対的に強い強度で発射するように促す内容を前記演出表示装置に表示し、前記小当り遊技の前記閉鎖期間では、前記小当り遊技後に、遊技者に付与される利益の種類を示唆する示唆演出を前記演出表示装置に表示可能とする。